(57)【要約】【課題】内部に揮散性物質を収納し、吊り下げて使用する場合の他に載置しての使用に於いても収納物の効果を有効に発揮でき、また、必要のない場合には吊下部位を不都合に突出させずに収納しておくことができて、運搬，保管時には嵩張らない吊下式容器を提案する。【解決手段】容器本体２の前面開口ａを被覆し且つ前記開口対応位置に揮散用の窓孔17を備えた蓋体３を嵌着した起立可能な容器であって、上端部に設けた凹部25内外を上下に弾性反転する弾性板26を設けて、その上にフック４を立設した。【選択図】図２
2005239259.tif 000002
【特許請求の範囲】
【請求項１】
容器本体２の前面開口ａを被覆し且つ前記開口対応位置に揮散用の窓孔17を備えた蓋体３を嵌着した起立可能な容器であって、上端部に設けた凹部25内外を上下に弾性反転する弾性板26を設けるとともに、該弾性板上にフック４を立設したことを特徴とする吊下式容器。
【請求項２】
前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と前記蓋体３とで全体として起立可能に構成してなる請求項１記載の吊下式容器。
【請求項３】
前記凹部25及び弾性板26及びフック４を蓋体３と別体に形成した吊下部Ａを、蓋体３上端部に回転可能に連結してなる請求項１又は請求項２のいずれかに記載の吊下式容器。
【請求項４】
前記弾性板26が上方に弾性反転した際に、前記フック４内の吊下用空間ｓ1 より大きい第２吊下用空間ｓ2 を前記弾性板26内に形成してなる請求項１乃至請求項３のいずれかに記載の吊下式容器。
【発明の詳細な説明】
【技術分野】
【０００１】
本発明は吊下式容器に関し、詳しくは、内部に芳香剤，防虫剤等の揮散性物質を収納するための吊下式容器に関する。
【背景技術】
【０００２】
箪笥等の収納具内に、そのハンガーロッドにフックを引っかけて吊り下げる防虫用の吊下式容器が知られている。（例えば、特許文献１参照）
【０００３】
この吊下式容器は、ヒンジを介して開閉可能に形成した扁平直方体形状のケース本体の上端にフック状のハンガーを立設して構成しており、ケース本体内に防虫剤等の揮散性剤を収納し、ケース本体に形成した窓孔より揮散させる如く構成している。
【特許文献１】特開平１１−１３００８１号公報
【発明の開示】
【発明が解決しようとする課題】
【０００４】
従来のこの種の吊下式容器は、例えばハンガーをハンガーロッドに引っ掛けるという簡単な操作でロッドに吊り下げることができ、また、交換の際はハンガーの係合を解除すれば簡単に取り外すことができるため、取り扱いが極めて容易であるという利点を有するものである。
【０００５】
しかしながら、ハンガーロッドなどの吊り下げるためのロッド形態のものが必要であり、使用範囲が限定される。また、ハンガーがケース本体上に一体に突設しているため、それだけ余分な空間を必要として嵩張り、運搬，保管等の際にはその効率が悪く、コストにも影響する。
【０００６】
本発明は上記した点に鑑みてなされたもので、従来品の様に吊り下げて使用することは勿論，載置しての使用においても収納物の効果を有効に発揮でき、また、必要のない場合には吊り下げ部位を不都合に突出させずに収納しておくことができて、運搬，保管時には嵩張らず、また、載置しての使用の場合には余分な突出部として引っ掛けて倒される等の不都合を極力回避でき、更にはフックの向きを変えることができる等の種々の効果を発揮する吊下式容器を提案するものである。
【課題を解決するための手段】
【０００７】
本請求項１発明は上記課題を解決するため、容器本体２の前面開口ａを被覆し且つ前記開口対応位置に揮散用の窓孔17を備えた蓋体３を嵌着した起立可能な容器であって、上端部に設けた凹部25内外を上下に弾性反転する弾性板26を設けるとともに、該弾性板上にフック４を立設したことを特徴とする吊下式容器として構成した。
【０００８】
本請求項２発明は、前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と前記蓋体３とで全体として起立可能に構成してなる請求項１記載の吊下式容器として構成した。
【０００９】
本請求項３発明は、前記凹部25及び弾性板26及びフック４を蓋体３と別体に形成した吊下部Ａを、蓋体３上端部に回転可能に連結してなる請求項１又は請求項２のいずれかに記載の吊下式容器として構成した。
【００１０】
本請求項４発明は、前記弾性板26が上方に弾性反転した際に、前記フック４内の吊下用空間ｓ1 より大きい第２吊下用空間ｓ2 を前記弾性板26内に形成してなる請求項１乃至請求項３のいずれかに記載の吊下式容器として構成した。
【発明の効果】
【００１１】
本発明の吊下式容器は、フック４による吊り下げと、安定した載置とを必要に応じて選択でき、様々な種類の揮散性収納物を収納できて極めて汎用性に富み、また、載置しての使用の際にはフック４を突出しない状態で維持させておくことができるため、フック４を引っ掛けて容器を倒す等の不都合を防止できるとともに、使用前の運搬，保管等の際には嵩張らず能率良く行える利点がある。更に、後方へ下る底壁を備えており、収納した揮散剤の露出しない部分が最後まで後部コーナー部に残り、最後まで安定した載置が可能となる。
【００１２】
また、前記凹部25及び弾性板26及びフック４を蓋体３と別体に形成した吊下部Ａを、蓋体３上端部に回転可能に連結してなるものにあっては、吊り下げるロッド等の向き等によりフック４を好ましい向きに回転させて吊り下げることができる利点を兼ね備えている。      
【００１３】
また、弾性板26が上方に弾性反転した際に、フック４内の吊下用空間ｓ1 より大きい第２吊下用空間ｓ2 を前記弾性板26内に形成してなるものにあっては、大きな径の吊下用突起等に第２吊下用空間を差し込んで吊り下げることができ、更に対応の幅が広がる利点がある。
【発明を実施するための最良の形態】
【００１４】
以下、本発明の実施例の形態を図面を参照して説明する。
【００１５】
図１は本発明吊下式容器の一実施形態を示す斜視図、図２は縦断面図、図３は分解斜視図である。吊下式容器１は、容器本体２と、蓋体３と、フック４とを備えている。
【００１６】
容器本体２は、箱型をなし、起立可能に構成したもので、図示例では前面に設けた開口ａ周縁より外方へ突設したフランジ５の下端縁と、前記開口ａ下端縁より後方へ下る底壁６の後端縁とで起立可能に支持したもので、より安定な状態を維持するためには、少なくとも前面を、上部が後方に位置する傾斜面に形成すると良い。また、前記した如く開口ａの底縁より底壁６を、また、両側縁より一対の側壁７，７を、上端縁より頂壁８を、それぞれ後方へ延設し、各底壁６，両側壁７，７，頂壁８の後端縁を周縁部とする後壁９を設けている。
【００１７】
容器本体２内の収納部には防虫剤，芳香剤等の揮散性物質を収納する。揮散性物質収納後に開口ａをシール材11によりシールする。シール材11は周縁部をフランジ５表面に剥離可能に固着して開口ａを閉塞し、開封前の揮散性物質の揮散を防止する如く構成している。シール材11は通気性のない材質で形成され、例えば、ガスバリアー性の合成樹脂、或いは合成樹脂と金属薄膜層との積層体等より形成されたものが使用でき、粘着剤等により剥離可能に固着している。また、シール材11のコーナーには取り外す際に摘むための突片12を一体に形成している。
【００１８】
蓋体３は、容器本体２の開口ａを被覆して嵌着したもので、容器本体２と蓋体３とで全体として起立可能に構成しており、図示例では前記開口ａを被覆する蓋板15の周縁部より延設した嵌合筒部16をフランジ５外周に嵌着して容器本体２に装着したもので、蓋板15には収納物を揮散する揮散用の窓孔17を開口している。蓋板15は周縁部を残して中央部が前方へ膨出した形態を採り、シール材11との間に空隙ができる如く構成している。蓋体３の嵌着に際しては、嵌合筒部16内周に突設した係合突条18をフランジ５裏面に乗り越え係合させてより安定した嵌着状態を維持している。
【００１９】
フック４は、蓋体３の上面に設けた凹部25の内外を上下に弾性反転する弾性板26上に設けている。図示例に於ける凹部25は蓋体３の頂面を下方へ正面視円弧状に凹ませて形成しており、具体的には前記嵌合筒部16上面に前壁27a ，両側壁27b ，27b 及び頂壁27c よりなる支持部27を立設し、頂壁27c は正面視円弧状に凹んで形成し、その上方を前記凹部25として構成している。また、弾性板26は両側壁27b ，27b の上端にそれぞれ両端部を連結した正面視円弧状の板状をなし、その上面中央部にフック４を起立している。弾性板26の両端は薄肉のヒンジ形態に形成することも可能である。
【００２０】
そして、弾性板26が凹部25内に位置する状態ではフック４が凹部25内に収納された状態であり、弾性板26が凹部25外への反転した状態でフック４が上方へ突出した状態となる。従って、台等の載置場所に載置させて使用する際には弾性板26及びフック４を凹ませた状態で行い、また、吊り下げての使用の際には弾性板26及びフック４を上方へ突出させてロッド等に吊り下げる如く構成している。尚、このフック４は容器本体２の上に同様の凹部及び弾性板を設け、同様にその弾性板上に立設しても良い。
【００２１】
上記の如く構成した吊下式容器１は、図１の状態から蓋体３を外した後シール材11を取り除き再び蓋体３を嵌着することにより開封することができる。そして、載置して使用する場合にはそのままの状態で使用でき、また、吊り下げて使用する場合にはフック４を上方へ引き上げることにより弾性板26を上方へ弾性反転させ、図４に示す如く凹部25上方へ突出させるとともに、フック４を上方へ突出させ、所定のロッド等に吊り下げ使用する。      
【００２２】
図５は他の実施形態を示すもので、前記凹部25及び弾性板26及びフック４を蓋体３と別体に形成した吊下部Ａを、蓋体３上端部に回転可能に連結している。この吊下部Ａは、上面に同様の凹部25を形成した後端面開口の箱型をなす支持基部28と、該支持基部28の両側上端部にそれぞれ両側を連結した同様形態の弾性板26と、弾性板26上面に立設したフック４とで構成しており、支持基部下面より回転軸29を突設している。回転軸29は縦切溝により二分割されて枢着し易く形成されており、下端部外周に抜け出し防止用の係止突部を突設している。そして、蓋体３上面の嵌合筒部16に穿設した軸孔30に回転軸29を回転可能に嵌合して蓋体３上に回転可能に枢着している。この場合には上記図１の実施形態の作用の他、ロッドの向き等により蓋体３及び容器本体２に対するフック４の向きを変えることができる。その他の構成は図１の実施形態と同様である。
【００２３】
図６は更に他の実施形態を示すもので、蓋体３の嵌合筒部16上面より前壁27a 及び両側壁27b ，27b からなる支持部27を立設し、支持部27の内部を上記凹部25として構成している。また、両側壁27b ，27b の上端にそれぞれ両端を連結した正面視円弧状をなす帯状の弾性板26を延設し、該弾性板26上面にフック４を立設している。その他の構成は図１の実施形態と同様である。
【００２４】
図７は図６の実施形態に於いて、支持部を有底とし、この有底の支持部を支持基部28とし、該支持基部と、弾性板26と、フック４とからなる吊下部Ａを別体に形成し、蓋体３上に回転可能に設けた例を示す。本実施形態も同様に、有底の支持基部28の下面より突設した回転軸29を蓋体３の上面中央部に穿設した軸孔30に回転可能に嵌合して蓋体３上に吊下部Ａを回転可能に設けている。その他の構成は図１の実施形態と同様である。
【００２５】
図８は更に他の実施形態を示すもので、蓋体３の嵌合筒部16上に前壁27a 及び両側壁27b ，27b 及び頂壁27c よりなる支持部27を立設し、頂壁27c は半部を斜め上方へ凸の正面視円弧状に、他の半部を斜め下方へ凹の正面視円弧状に形成し、後者上方を前記凹部25として構成している。また、凹部25の両端にそれぞれ薄肉のヒンジ31を介して両端を連結した正面視円弧状の弾性板26を設け、その外面中央部にフック４を突設している。その他の構成は図１の実施形態と同様である。
【００２６】
図９は図８の実施形態に於いて、支持部27を有底とし、この有底の支持部を支持基部28として、該支持基部28と、弾性板26と、フック４とからなる吊下部Ａを別体に形成し、蓋体３上に回転可能に設けた例を示す。本実施形態でも支持基部28の下面より突設した回転軸29を蓋体３の上面中央部に穿設した軸孔30に回転可能に嵌合して蓋体３上に吊下部Ａを回転可能に設けている。その他の構成は図１の実施形態と同様である。
【００２７】
尚、上記各実施形態に於いて、例えば図６に示す如く、フック４内の吊下用空間ｓ1 より大きい第２吊下用空間ｓ2 が、上方に弾性反転した弾性板26内に形成される如く構成することにより、径の相違する複数種類のロッド等への吊り下げが可能となる。また、各部材は合成樹脂により形成することができる。
【図面の簡単な説明】
【００２８】
【図１】本発明吊下式容器の斜視図である。（実施例１）
【図２】本発明吊下式容器の断面図である。（実施例１）
【図３】本発明吊下式容器の分解斜視図である。（実施例１）
【図４】本発明吊下式容器のフックを突出した状態の斜視図である。（実施例１）
【図５】本発明吊下式容器の要部分解斜視図である。（実施例２）
【図６】本発明吊下式容器の要部斜視図である。（実施例３）
【図７】本発明吊下式容器の要部分解斜視図である。（実施例４）
【図８】本発明吊下式容器の要部斜視図である。（実施例５）
【図９】本発明吊下式容器の要部分解斜視図である。（実施例６）
【符号の説明】
【００２９】
２…容器本体、３…蓋体，４…フック，５…フランジ，６…底壁，17…窓孔，
25…凹部，26…弾性板，Ａ…吊下部，ａ…開口，ｓ1 …吊下用空間，
ｓ2 …第２吊下用空間                                                                          
【図１】
2005239259.tif 000003
【図２】
2005239259.tif 000004
【図３】
2005239259.tif 000005
【図４】
2005239259.tif 000006
【図５】
2005239259.tif 000007
【図６】
2005239259.tif 000008
【図７】
2005239259.tif 000009
【図８】
2005239259.tif 000010
【図９】
2005239259.tif 000011